(57)【特許請求の範囲】
【請求項１】
光ファイバ心線をシースで被覆してなる矩形状の光ファイバケーブルの複数個を一列に配列し、一列に配列した方向において前記複数個の光ファイバケーブルを挟んでその両脇に抗張力体を外被で被覆してなる抗張力体部を配置して、それら複数個の光ファイバケーブル及び両脇の抗張力体部を外層外被で一括して被覆して形成され、前記外層外被の長辺の面の一方を壁面に配線される側とし、少なくとも前記壁面に配線される側とは反対側の外層外被の面に、前記両脇の抗張力体部と対応する位置にそれぞれノッチをケーブル長手方向に形成したことを特徴とする偏平光ファイバケーブル。
【請求項２】
請求項１記載の偏平光ファイバケーブルであって、
前記光ファイバケーブルのシースの融点が、前記外層外被の融点よりも高いことを特徴とする偏平光ファイバケーブル。
【請求項３】
請求項１または請求項２記載の偏平光ファイバケーブルであって、
両脇の前記抗張力体部のうちケーブル幅方向の側面に設けた突起が、前記外層外被の被覆時の熱で溶けて該外層外被と融着されたことを特徴とする偏平光ファイバケーブル。
【請求項４】
請求項１から請求項３の何れか１つに記載の偏平光ファイバケーブルであって、
前記光ファイバケーブルの全長が、偏平光ファイバケーブルの全長よりも長いことを特徴とする偏平光ファイバケーブル。
【請求項５】
請求項４記載の偏平光ファイバケーブルであって、
前記光ファイバケーブルの余長率が０．０３％以上であることを特徴とする偏平光ファイバケーブル。
【請求項６】
請求項２から請求項５の何れか１つに記載の偏平光ファイバケーブルであって、
前記光ファイバケーブルの前記シースの摩擦係数が０．３以下であることを特徴とする偏平光ファイバケーブル。
【請求項７】
請求項１から請求項６の何れか１項に記載された偏平光ファイバケーブルを壁面に接して配線した後、
前記外層外被に形成した前記ノッチにそれぞれ切れ込みを入れ、その切れ込みを入れた部位の外層外被を取り除いて内部から前記光ファイバケーブルを取り出して切断し、
また、前記外層外被に形成した前記ノッチのうち前記切れ込みを入れた部位とは異なる位置に切れ込みを入れ、その切れ込みを入れた部位の外層外被を取り除いて内部から前記切断した光ファイバケーブルを引き出し、その引き出した光ファイバケーブルを集合住宅の各部屋に引き込む
ことを特徴とする偏平光ファイバケーブルの引き込み方法。
【発明の詳細な説明】
【技術分野】
【０００１】
本発明は、例えば集合住宅における構内配線に使用される偏平光ファイバケーブル及び光ファイバケーブルの引き込み方法に関する。
【背景技術】
【０００２】
例えば、マンション等のような既設集合住宅の中には、光ファイバケーブルを布設すべき新たな配管を布設するスペースが無い場合や、既設配管においても光ファイバケーブルを布設する空きスペースが無い場合がある。
【０００３】
このため、各階層に設置された分線盤より光ファイバケーブルを各住戸（各部屋）まで共用廊下の壁面や天井面などに沿わせて配線しなければならない。光ファイバケーブルには、例えばインドア型の光ファイバケーブルを連結部を介して複数個連結した構造のものや（例えば、特許文献１）、複数個のインドア型の光ファイバケーブルをテンションメンバと共に外被で被覆して集合させた構造（例えば、特許文献２）のものがある。
【先行技術文献】
【特許文献】
【０００４】
【特許文献１】特開２００８−７０５７３号公報
【特許文献２】特開２００８−２８１８４３号公報
【発明の概要】
【発明が解決しようとする課題】
【０００５】
しかし、特許文献１に記載の光ファイバケーブルでは、光ファイバケーブルが連結部によって並列されているので、壁面に固定した状態で連結部を引き裂くことは困難である。特に、分岐した光ファイバケーブルを加入者宅へ引き込むためには少なくとも２〜３ｍ程度の長さを取り出す必要があるが、この長さ範囲に渡って連結部を引き裂き、光ファイバケーブルを分離しなければならず、その作業が大変である。
【０００６】
一方、特許文献２に記載の光ファイバケーブルでは、外被を切り裂いて内部から光ファイバケーブルを取り出す際に、テンションメンバの周囲を取り囲むようにして複数個の光ファイバケーブルが配列されているため、特定の光ファイバケーブルを見つけにくく取出し難い。そのため、光ファイバケーブルの抽出作業が必要となることから布設コストが増加する。また、特許文献２の光ファイバケーブルは、円形状であるため、壁面に取り付けると見栄えが悪い。
【０００７】
そこで、本発明は、壁面に配線したままの状態で中間分岐することができ、且つ、中間分岐時に各光ファイバケーブルを容易に識別可能として取り出すことのできる偏平光ファイバケーブル及び光ファイバケーブルの引き込み方法を提供することを目的とする。
【課題を解決するための手段】
【０００８】
第１の発明は、光ファイバ心線をシースで被覆してなる矩形状の光ファイバケーブルの複数個を一列に配列し、一列に配列した方向において複数個の光ファイバケーブルを挟んでその両脇に抗張力体を外被で被覆してなる抗張力体部を配置して、それら複数個の光ファイバケーブル及び両脇の抗張力体部を外層外被で一括して被覆して形成され、外層外被の長辺の面の一方を壁面に配線される側とし、少なくとも壁面に配線される側とは反対側の外層外被の面に、前記両脇の抗張力体部と対応する位置にそれぞれノッチをケーブル長手方向に形成したことを特徴としている。
【０００９】
第２の発明は、第１の発明であって、前記光ファイバケーブルのシースの融点が、前記外層外被の融点よりも高いことを特徴としている。
【００１０】
第３の発明は、第１または第２の発明であって、両脇の前記抗張力体部のうちケーブル幅方向の側面に設けた突起が、前記外層外被の被覆時の熱で溶けて該外層外被と融着されたことを特徴としている。
【００１１】
第４の発明は、第１から第３の何れか１つの発明であって、前記光ファイバケーブルの全長が、偏平光ファイバケーブルの全長よりも長いことを特徴としている。
【００１２】
第５の発明は、第４の発明であって、前記光ファイバケーブルの余長率が０．０３％以上であることを特徴としている。
【００１３】
第６の発明は、第２から第５の何れか１つの発明であって、前記光ファイバケーブルの前記シースの摩擦係数が０．３以下であることを特徴としている。
【００１４】
第７の発明は、第１から第６の何れか１つに記載された発明の偏平光ファイバケーブルを壁面に接して配線した後、前記外層外被に形成した前記ノッチにそれぞれ切れ込みを入れ、その切れ込みを入れた部位の外層外被を取り除いて内部から前記光ファイバケーブルを取り出して切断し、また、前記外層外被に形成した前記ノッチのうち前記切れ込みを入れた部位とは異なる位置に切れ込みを入れ、その切れ込みを入れた部位の外層外被を取り除いて内部から前記切断した光ファイバケーブルを引き出し、その引き出した光ファイバケーブルを集合住宅の各部屋に引き込むことを特徴とした光ファイバケーブルの引き込み方法である。
【発明の効果】
【００１５】
本発明によれば、光ファイバケーブルの複数個を一列に配列させた偏平光ファイバケーブルとしたので、外形状が偏平であることから集合住宅の共用廊下などの壁面に配線し易い。また、本発明によれば、複数個の光ファイバケーブルが一列に配列されていることからケーブル長手方向でその配置が入れ代わることがなく、中間分岐時に特定の光ファイバケーブルをその配列順で識別することができる。
【００１６】
また、本発明によれば、壁面に配線される側とは反対側の外層外被に、抗張力体部と対応する位置にノッチを設けているので、偏平光ファイバケーブルを壁面に配線した状態のままでも外層外被を剥いで内部から特定の光ファイバケーブルを取り出すことができる。つまり、偏平光ファイバケーブルを壁面に配線した状態でも中間分岐作業をすることができる。
【００１７】
また、本発明によれば、抗張力体部と対応する位置にノッチを形成しているので、このノッチを切り裂いてもその部位の下が抗張力体部であることにより、光ファイバケーブルに傷を付けるのを防止することができる。
【図面の簡単な説明】
【００１８】
【図１】本実施形態の偏平光ファイバケーブルの横断面図である。
【図２】本実施形態の偏平光ファイバケーブルにおける光ファイバケーブル相互の摩擦係数を測定するのに用いた測定装置の概略構成図である。
【図３】図３は図１の偏平光ファイバケーブルを壁面に配線した後、特定の光ファイバケーブルを取り出して集合住宅の各部屋に引き込む方法を説明するための図である。
【発明を実施するための形態】
【００１９】
以下、本発明を適用した具体的な実施形態について図面を参照しながら詳細に説明する。
【００２０】
図１は本実施形態の偏平光ファイバケーブルの横断面を示している。この偏平光ファイバケーブル１は、光ファイバ心線２をシース３で被覆してなる矩形状の光ファイバケーブル４の複数個を一列に配列（並列）し、その両脇に抗張力体５を外被６で被覆してなる抗張力体部７を配置し、それら複数個の光ファイバケーブル４及び両脇の抗張力体部７を同一の外層外被８で一括して被覆した偏平形状をなすケーブルとされている。この偏平光ファイバケーブル１は、既設マンション等の集合住宅における共用廊下等の壁面（天井壁や軒部分の壁面など）に配線して各部屋へ特定の光ファイバケーブル４を引き込むのに適したものである。
【００２１】
光ファイバケーブル４は、中心に設けられる光ファイバ心線２と、この光ファイバ心線２を挟んでその両側に離間してそれぞれ配置された２本のテンションメンバ９、９を同一直線上に配置してシース３で一体的に被覆してなる矩形状の断面形状とされている。
【００２２】
光ファイバ心線２は、例えば中心に設けられた石英ガラスファイバと、この石英ガラスファイバの周囲に紫外線硬化型樹脂を被覆して形成された外被層とからなる。光ファイバ心線２は、規格上、石英ガラスファイバの外径を直径０．１２５ｍｍ、全体の外径を直径０．２５ｍｍとされる。また、光ファイバ素線２は、心線間の識別性のために、外被層が着色（無色も含む）されている。
【００２３】
２本のテンションメンバ９、９は、光ファイバ心線２を挟んでその両側に離間してそれぞれ配置されている。これらテンションメンバ９、９は、光ファイバケーブル４の中心位置に設けられた光ファイバ心線２と同一線上に設けられている。かかるテンションメンバ９、９は、光ファイバケーブル４自体の剛性を高めるケーブル剛性部材として、また光ファイバケーブル４の曲げ方向をケーブル短辺方向にのみ湾曲させるケーブル曲げ方向規制部材として機能する。本実施形態では、テンションメンバ９、９としてφ０．５ｍｍのアラミドＦＲＰを用いた。テンションメンバ９、９は、小径に曲げ易いアラミドＦＲＰ以外にも、例えばガラスＦＲＰの各種繊維強化プラスチックや鋼線などを用いることもできる。
【００２４】
前記シース３には、該シース３を引き裂いて光ファイバ心線２を取り出すためのノッチ１０、１１が形成されている。前記ノッチ１０、１１は、何れも光ファイバ心線２と対応した位置に、光ファイバ心線２に向かって先細りになる断面Ｖ字状の溝として形成されている。これらノッチ１０、１１は、ケーブル長手方向（図１の紙面に対して垂直な方向）に沿って連続して形成されている。
【００２５】
前記シース３には、例えば高密度ポリエチレンに水酸化マグネシウム、赤燐を配合した黒色難燃ポリエチレンを用いることができる。この他、低密度ポリエチレン、直鎖状低密度ポリエチレン、中密度ポリエチレン、エチレン酢酸ビニルコポリマー（ＥＶＡ）、エチレン・アクリル酸エチルコポリマー（ＥＥＡ）などの各種オレフィン系材料やそれらに難燃剤等添加剤を入れた難燃ポリオレフィンを、シース３として使用することもできる。
【００２６】
また、シース３の融点は、後述する外層外被８の融点よりも高くしている。こうすることで、外層外被８で光ファイバケーブル４及び抗張力体部７を一括して被覆する時の熱でシース３と外層外被８とが融着しないようにできる。本実施形態では、外層外被８の融点よりも高いシース３として、黒色難燃ポリエチレンのベース樹脂として高密度ポリエチレンを用いた。
【００２７】
光ファイバケーブル４の外径は、本実施形態では何れも１．６ｍｍ（縦）×２．０ｍｍ（横）とした。光ファイバケーブル４の大きさは、従来から使用されている既存のインドアケーブルと同形状及び同寸法とすることで、既存のコネクタ類に適合させることができる。もちろん、本発明は、前記寸法に限定されるものではない。
【００２８】
また、シース３の摩擦係数を０．３以下としている。こうすることで、一列に接して配列した複数個の光ファイバケーブル４のうち引き出すべき特定の光ファイバケーブル４を、他の光ファイバケーブル４から容易に取り出すことができる。シース３の摩擦係数を０．３以下とするには、例えば高密度ポリエチレンなど表面硬度が高く摩擦係数の低い樹脂を用いること、さらには、シリコーン分散ポリエチレン、シリコーンブレンドポリエチレン、脂肪酸アミドなど滑剤を添加することで低減できる。両端の光ファイバケーブル４を取り出し易くするため、抗張力体部７の外被６も同様に摩擦係数を０．３以下とすることが望ましい。なお、摩擦係数を０．３以下とする理由については、後述する実施例で説明する。
【００２９】
また、光ファイバケーブル４は、その全長が偏平光ファイバケーブル１の全長よりも長くしている。具体的には、光ファイバケーブル４の余長率を０．０３％以上としている。余長率は、（（光ファイバケーブル全長−偏平光ファイバケーブル全長）／偏平光ファイバケーブル全長）×１００％で表される。光ファイバケーブル４の全長を偏平光ファイバケーブル１の全長よりも長くすることで、中間分岐時に外層外被８を一部剥ぐと光ファイバケーブル４が若干浮き上がるため、ケーブル内部から光ファイバケーブル４を取り出し易くなる。なお、余長率を０．０３％以上とする理由については、後述する実施例で説明する。
【００３０】
余長は、光ファイバケーブル４と抗張力体部７とを一列に並列配置して、外層外被５を押し出すための押出しヘッドに挿入する際に、光ファイバケーブル４より抗張力体部７が大きな伸びとなるよう張力を印加することで、プラス余長とすることができる。このようにすることで、光ファイバケーブル４の余長率を０．０３％以上にできる。
【００３１】
図１では、光ファイバケーブル４の数を４個とし、それら光ファイバケーブル４同士を接触させて一列に配列させている。４個の光ファイバケーブル４は、全て同一形状及び同一外形のものを使用している。
【００３２】
抗張力体部７は、中心に設けた抗張力体５を外被６で被覆することにより矩形状とされている。かかる抗張力体部７は、外層外被８を押し出すための押出しヘッドに挿入する際の整列容易性を鑑みて、縦横の大きさが光ファイバケーブル４とほぼ同一とされている。抗張力体部７を光ファイバケーブル４と同一の大きさとすると、偏平光ファイバケーブル全体で見たときに均一な厚みとなり、壁面に配線し易くなる。
【００３３】
本実施形態では、抗張力体部７は、直径φ０．５ｍｍの鉄線を抗張力体５とし、これを光ファイバケーブル４のシース３と同じ黒色難燃ポリエチレンで被覆し外被６とすることで形成した。また、抗張力体部７は、光ファイバケーブル４と同じく縦１．６ｍｍ×横２．０ｍｍの矩形状をなす形状とした。なお、前記抗張力体部７の寸法は、一例でありこれに限定されない。抗張力体部７は、その長手方向に垂直な断面形状を矩形状としているが、光ファイバケーブル４と接しない側の形状を丸みのある円弧状としたものも使用できる。この他、抗張力体部７は、その断面形状が円形状でも楕円形状でもよく、特にその形状には限定されない。
【００３４】
抗張力体５としては、鉄線の他、アラミドＦＲＰ、ガラスＦＲＰなどの各種繊維強化プラスチック、鋼線が使用できる。マンションの共用廊下（通路）の壁面に配線する場合は、鉄線などの塑性変形し易い金属材料を使用することで、容易にケーブルの曲げ加工ができ、例えば、梁などの壁面凸部に沿って綺麗に配線することが可能となる。
【００３５】
抗張力体部７の外被６は、光ファイバケーブル４のシース３と同一材料で形成することが望ましい。具体的には、抗張力体部７の外被６の融点が外層外被８の融点より高く、また、外被６の摩擦係数が０．３以下である材料で外被６を形成する。具体的な材料は、光ファイバケーブル４のシース３と同じであるので、ここではその説明は省略する。抗張力体部７の外被６を光ファイバケーブル４のシース３と同一材料で形成すれば、中間分岐時に外層外被８を剥いで内部から抗張力体部７と接する両端の光ファイバケーブル４を取り出す作業が容易になる。つまり、外層外被８と抗張力体部７が融着されていないことと、抗張力体部７に対する光ファイバケーブル４の滑りが良くなることの両方の作用で、光ファイバケーブル４の取り出しが楽になる。
【００３６】
また、抗張力体部７のうちケーブル幅方向の側面６ａに設けた突起１２が、外層外被８の被覆時の熱で溶けて該外層外被８と融着されている。図１では、突起１２を図示してあるが、実際には外層外被８との熱融着時に突起１２が溶けてその外形が判らなくなる。突起１２は、外被６の側面６ａから外側へ向かって先端を尖らせた三角形状をなす突起として形成されている。突起１２を設ければ、外層外被８と抗張力体部７の外被６とが融着するため、抗張力体５の突き出しや引き込みなどを防ぐことができる。
【００３７】
本実施形態では、３つの突起１２を設けている。この他、長辺をなす両面６ｂ、６ｃにも突起１２が同様に設けられている。両面６ｂ、６ｃに設けられる突起１２は、抗張力体５が設けられる中心位置から側面６ａ寄りの位置に設けられている。この位置であれば、外層外被８を後述するノッチから剥いだ時に、光ファイバケーブル４を取り出すことができる。
【００３８】
外層外被８は、壁面１３に接する壁面側の外層外被（以下、これを壁面側外層外被８ａという）と、前記壁面１３と接しない表面側の外層外被（以下、これを表面側外層外被８ｂという）と、両端の抗張力体部７と対応する側面側の外層外被（以下、これを側面側外層外被８ｃ、８ｄという）とからなる。
【００３９】
外層外被８は、一列に配列した複数個の光ファイバケーブル４及び両脇の抗張力体部７を一括して被覆するように押し出し成形することにより形成される。この時、外層外被８を切り裂いて内部に実装された光ファイバケーブル４を取り出すことができるように、外層外被８は光ファイバケーブル４に対して熱融着で接着されないように被覆されている。これを実現するのは、光ファイバケーブル４のシース３の融点が、外層外被８の融点よりも高くしたことによる。
【００４０】
外層外被８には、ＥＥＡをベース材として、水酸化マグネシウム、赤燐を配合した黒色難燃ポリオレフィンを用いた。この他、低密度ポリエチレン、直鎖低密度ポリエチレン、中密度ポリエチレン、エチレン酢酸ビニルコポリマー（ＥＶＡ）、エチレン・アクリル酸エチルコポリマー（ＥＥＡ）などの各種オレフィン系材料やそれらに難燃剤等添加剤を入れた難燃ポリオレフィンを用いることができる。光ファイバケーブル４のシース３との融着を回避し、且つ、後述するノッチでの引き裂きを容易にするため、低密度ポリエチレン、ＥＥＡ、ＥＶＡなどの樹脂、およびそれらに難燃剤等添加剤を入れた難燃ポリオレフィンが望ましい。
【００４１】
前記外層外被８のうち壁面１３に配線される側とは反対側には、両脇の抗張力体部７と対応する位置にノッチ１４をそれぞれケーブル長手方向に形成している。具体的には、表面側外層外被８ｂには、各抗張力体部７と対応する位置に、抗張力体５に向けて先細りとなるＶ字形状の溝としてケーブル長手方向にノッチ１４が形成されている。壁面側外層外被８ａにも同様に、各抗張力体部７と対応する位置に、抗張力体５に向けて先細りとなるＶ字形状の溝としてケーブル長手方向にノッチ１４が形成されている。これらノッチ１４は、何れも光ファイバケーブル４を並列配置した部分よりも外側に設けられている。このノッチ１４の下部では、外層外被８と外被６とが融着していないことが、前記外層外被８の除去性から望ましい。本実施形態では、壁面側外層外被８ａ及び表面側外層外被８ｂの両方にノッチ１４を形成しているが、表面側外層外被８ｂのみにノッチ１４があればよい。
【００４２】
以上のように構成された偏平光ファイバケーブル１によれば、光ファイバケーブル４の複数個及び両脇の抗張力体部７を一列に配列させた偏平光ファイバケーブルとしたので、外形状が偏平であることから集合住宅の共用廊下などの壁面に配線し易い。また、本発明によれば、複数個の光ファイバケーブル４が一列に配列されていることからケーブル長手方向でその配置が入れ代わることがなく、中間分岐時に特定の光ファイバケーブル４をその配列順で識別することができる。なお、光ファイバケーブル４のシース３表面に、ナンバリングなどの識別印字を施すことで、更に光ファイバケーブル４の識別性が高まる。
【００４３】
また、この偏平光ファイバケーブル１によれば、壁面１３に配線される側とは反対側の外層外被８に、抗張力体部７と対応する位置にノッチ１４を設けているので、偏平光ファイバケーブル１を壁面１３に配線した状態のままでも外層外被８を剥いで内部から特定の光ファイバケーブル４を取り出すことができる。つまり、偏平光ファイバケーブル１を壁面１３に配線した状態でも中間分岐作業をすることができる。
【００４４】
また、この偏平光ファイバケーブル１によれば、抗張力体部７と対応する位置にノッチ１４を形成しているので、このノッチ１４を切り裂いてもその部位の下が抗張力体部７であることにより、光ファイバケーブル４に傷を付けるのを防止することができる。
【００４５】
また、この偏平光ファイバケーブル１によれば、光ファイバケーブル４のシース３の融点を、外層外被８の融点よりも高くしたので、前記シース３と外層外被８とは接着（融着）しておらず、中間分岐時に外層外被８を容易に剥ぐことができる。このため、光ファイバケーブル４の配列状態を乱すことなく外層外被８が剥がれることから内部から特定の光ファイバケーブル４を取り出すことが容易になる。
【００４６】
また、この偏平光ファイバケーブル１によれば、両脇の抗張力体部７のうちケーブル幅方向の側面６ａに設けた突起１２が、外層外被８の被覆時の熱で溶けて該外層外被８と融着されているので、抗張力体５の突き出し及び引き込みを防止することができる。
【００４７】
また、この偏平光ファイバケーブル１によれば、光ファイバケーブル４の全長が、偏平光ファイバケーブル１の全長よりも長いため、外層外被８を除去した部分で、余った光ファイバケーブル４が僅かに浮き上がり、壁面１３に取り付けた状態でも容易に光ファイバケーブル４を引き出すことができる。
【実施例】
【００４８】
前記した偏平光ファイバケーブル１における光ファイバケーブル４の余長率を０．０３％以上とする理由について、以下の実験を行った。余長率は、以下のように測定した。偏平光ファイバケーブル１を１０ｍの長さに計尺・切断した後、外層外被８を剥いで内部から光ファイバケーブル４を取り出し、その取り出した光ファイバケーブル４の長さを測定した。この時の光ファイバケーブル４の長さをＬ１とし、偏平光ファイバケーブル１の全長をＬ０＝１０ｍとすると、余長率＝（（Ｌ１−Ｌ０）／Ｌ０）×１００％で表される。
【００４９】
光ファイバケーブル４の余長率と中間分岐時の光ファイバケーブル４の取り出し性を確認した結果を表１に示す。中間分岐作業は、平面に光ファイバケーブル４を貼り付け、ケーブル中間部で長さ１５ｃｍに渡ってノッチ１４に切れ込みを入れて外層外被８を除去した。この状態で、光ファイバケーブル４に弛みが生じ、容易に取り出せるものを○、取り出せるものを△、取り出せないものを×として評価した。
【表１】
0005297514.tif 000002
【００５０】
その結果、余長率が０．０３％以上であれば、中間分岐作業が可能であることが確認された。さらには、余長率０．０５％以上が光ファイバケーブル４の取り出し性に優れており、この範囲が望ましい。
【００５１】
また、前記した偏平光ファイバケーブル１における光ファイバケーブル４のシース３の摩擦係数を０．３以下とする理由について、以下の実験を行った。シース３（抗張力体部７の外被６を含む）の摩擦係数は、図２に示す方法で測定した。光ファイバケーブル４を一列に並べて平板１５、１６にそれぞれ固定し、その間に挟んだ光ファイバケーブル４を引張り速度５００ｍｍ／分で引っ張ったときの引抜力を測定する。平板１５、１６には、両面テープで光ファイバケーブル４を取り付けた。
【００５２】
上側の平板１６には錘１７を載せ、１９．６Ｎの荷重が掛かるようにした。引抜力をＦ（Ｎ）としたとき、摩擦係数μ＝Ｆ／１９．６として求めた。そして、摩擦係数と光ファイバケーブル４の引抜き性について調査した。引抜き性は、平面に光ファイバケーブル４を貼り付け、ケーブル中間部で長さ１５ｃｍに渡ってノッチ１４に切れ込みを入れて外層外被８を除去した（ａ地点）。この外被除去部から３ｍ離れた位置に同様の外層外被８の除去を行い、光ファイバケーブル４を１本切断した（ｂ地点）。ｂ地点で切断した光ファイバケーブル４をａ地点より引張り、光ファイバケーブル４が引抜けるかどうかを確認した。その結果を表２に示す。
【表２】
0005297514.tif 000003
【００５３】
この結果からわかるように、シース３の摩擦係数０．３以下であれば、光ファイバケーブル４を、３ｍ以上容易に引抜けることが確認された。３ｍは、廊下から各部屋まで光ファイバケーブル４を引き込むに必要な長さである。
【００５４】
このように、光ファイバケーブル４のシース３の摩擦係数が０．３以下であれば、隣り合う光ファイバケーブル４相互の摩擦が小さくなり、また、シース３と外層外被８とが融着されていないことによって、内部から光ファイバケーブル４を容易に引き抜くことができる。これにより、中間分岐時に光ファイバケーブル４を２ｍ引き出すとした場合には、中間分岐から２ｍ下部側で外層外被８を剥ぎ取り、この部分で分岐したい光ファイバケーブル４を切断することにより、中間分岐部から２ｍの光ファイバケーブル４を引き抜くことができる。このようにすることで、外層外被８を除去する長さを最小限として、各部屋に引き込みに必要な長さの光ファイバケーブル４を確保することができる。
【００５５】
［光ファイバケーブルの引き込み方法］
次に、前記した偏平光ファイバケーブル１を壁面１３に接して配線した後、特定の光ファイバケーブル４を集合住宅の各部屋に引き込む方法について説明する。図３は、図１の偏平光ファイバケーブル１から特定の光ファイバケーブル４を取り出して各部屋に引き込む方法を説明するための図である。
【００５６】
偏平光ファイバケーブル１は、例えばマンション等の既設集合住宅の廊下などの壁面に、ケーブル固定手段１８によって配線される。この偏平光ファイバケーブル１から特定の光ファイバケーブル４を各部屋に引き込むには、任意のケーブル部位Ａのノッチ１４に沿ってカッターで切れ込みを入れる。この時、ノッチ１４の真下には抗張力体部７があるので、誤って光ファイバケーブル４を傷付けることは起こらない。
【００５７】
そして、切れ込みを入れた任意のケーブル部位Ａの外層外被８を所定長さ分だけ剥ぎ取り、内部から特定の光ファイバケーブル４を取り出して切断する。また、切れ込みを入れた任意のケーブル部位Ａとは異なる位置に切れ込みを入れる。２度目の切れ込みを入れる位置であるケーブル部位Ｂは、光ファイバケーブル４を引き込む部屋と対応する部位である。１度目の切れ込み部位Ａと２度目の切れ込み部位Ｂとの距離は、部屋まで引き込むのに必要な長さとする。
【００５８】
次に、２度目の切れ込み部位Ｂの外層外被８を所定長さ分だけ剥ぎ取り、内部から前記切断した光ファイバケーブル４を引き出す。そして、引き出した光ファイバケーブル４を所定の部屋に引き込む。この後、切れ込みを入れたケーブル部位Ａ、Ｂには、何らかのカバーを掛けるか、或いはテープを貼って引き裂いた部位を覆うようにする。以上の作業を、各部屋ごとに行う。
【００５９】
この光ファイバケーブルの引き込み方法によれば、偏平光ファイバケーブル１を壁面１３に配線したままの状態で外層外被８に形成したノッチ１４に切れ込みを入れて特定の光ファイバケーブル４を取り出せることができる。このため、各部屋への光ファイバケーブル４の引き込み作業を短時間で行うことが可能となり、布設作業に要するコストも大幅に低減できる。
【００６０】
以上、本発明を適用した具体的な実施形態について説明したが、本発明は上述の実施形態に限定されることなく種々の変更が可能である。例えば、本実施形態では、何れも中心に光ファイバ心線２を設け、その両側にテンションメンバ９、９を配置し、それらをシース３で被覆したインドア型の光ファイバケーブル４としたが、本発明は、この形態の光ファイバケーブルに限定されるものではない。
【産業上の利用可能性】
【００６１】
本発明は、集合住宅における構内配線に使用されて各部屋に引き込むための偏平光ファイバケーブルに利用することができる。
【符号の説明】
【００６２】
１  偏平光ファイバケーブル
２  光ファイバ心線
３  シース
４  光ファイバケーブル
５  抗張力体
６  外被
７  抗張力体部
８  外層外被
１２  突起
１３  壁面
１４  ノッチ
【図１】
0005297514.tif 000004
【図２】
0005297514.tif 000005
【図３】
0005297514.tif 000006